(57)【特許請求の範囲】
【請求項１】
人体の有無を検出する人感センサからの人体検出信号と、検知エリア内の照度を検知する照度センサからの検出値とに基づいて、照明器具の点灯、消灯及び明るさを制御する照明制御装置において、
人体検知状態であることを示す値又は、前記人体検知状態であることを示す値を保持時間分だけ延長した値を出力する出力動作モード１と、
前記人体検知状態であることを示す値をディレイ時間だけ延長した値又は、前記人体検知状態であることを示す値を前記ディレイ時間及び前記保持時間分だけ延長した値を出力する出力動作モード２と、
出力すべき調光信号が予め設定された第１のしきい値より高い場合には第１の値を、前記第１のしきい値より低い場合には第２の値を出力する出力動作モード３と、
前記照度センサからの検出値が予め設定された第２のしきい値より高い場合には第１の値を、前記第２のしきい値より低い場合には第２の値を出力する出力動作モード４と、
出力すべき調光信号を変換したアナログの電圧値を出力する出力動作モード５と、
前記照度センサからの検出値を変換したアナログの電圧値を出力する出力動作モード６と、
外部信号をそのまま又は信号処理した後に出力する出力動作モード７とを有し、
前記動作モードが実行可能かつ選択可能に構成されていることを特徴とする照明制御装置。
【請求項２】
前記人体検知状態であることを示す値は、前記人体検出信号そのものの値又は、前記外部信号によって強制的に人体検知状態であることを示すように設定された値であることを特徴とする請求項１記載の照明制御装置。
【請求項３】
前記保持時間、前記ディレイ時間、前記第１のしきい値、前記第２のしきい値の少なくとも１つが設定可能に構成されていることを特徴とする請求項１又は２記載の照明制御装置。
【請求項４】
前記外部信号に基づいて、消灯状態を示す調光信号又は点灯状態を示す調光信号のいずれかを出力させる入力動作モード１、
前記外部信号に基づいて、前記人体検出信号の値にかかわらず、前記人体検出信号の値を、強制的に、前記人体検知状態であることを示す値又は前記人体非検知状態であることを示す値に設定する入力動作モード２、
前記外部信号に基づいて、強制的に、前記人体検出信号の値又は前記人体検出信号の値に関連した値を有効又は無効に設定する入力動作モード３、
前記外部信号に基づいて、強制的に、前記照度センサからの検出値を有効又は無効に設定する入力動作モード４の少なくとも１つの動作モードが実行可能かつ選択可能に構成されていることを特徴とする請求項１乃至３のいずれかに記載の照明制御装置。
【請求項５】
前記照明器具が設置されるエリアと前記動作モードとが予め対応付けられており、前記エリアの選択により対応した前記動作モードが選択可能に構成されていることを特徴とする請求項１乃至４のいずれかに記載の照明制御装置。
【請求項６】
スケジュールに応じて、前記動作モードの切り替えを行うことを特徴とする請求項１乃至５のいずれかに記載の照明制御装置。
【請求項７】
前記スケジュールは、２４時間周期であることを特徴とする請求項６記載の照明制御装置。
【請求項８】
前記スケジュールは、１週間周期であることを特徴とする請求項５又は６記載の照明制御装置。
【請求項９】
少なくとも１つの照明器具と、請求項１乃至８のいずれかに記載の照明制御装置とを備えたことを特徴とする照明装置。
【請求項１０】
請求項１乃至８のいずれかに記載の複数の照明制御装置が相互に信号又はデータが伝送可能に構成されていることを特徴とする照明制御システム。
【請求項１１】
少なくとも１つの照明器具と、相互に信号又はデータが伝送可能に構成された請求項１乃至８のいずれかに記載の複数の照明制御装置とを備えたことを特徴とする照明システム。
【発明の詳細な説明】
【技術分野】
【０００１】
本発明は、人感センサ及び照度センサの各検出値や外部信号に基づいて照明器具の点灯、消灯及び明るさ等を制御する照明制御装置、この照明制御装置を備えた照明装置、複数の照明制御装置からなる照明制御システム及びこの照明制御システムを備えた照明システムに関する。
【背景技術】
【０００２】
従来の照明制御装置は、人感センサが人体を検知し、かつ、外部信号が入力されない場合、被照射面の照度が目標照度範囲内になるように、照度センサの検出値に基づいて光源の光出力を制御している。一方、外部信号が入力された場合、この照明制御装置は、照度センサ及び人感センサよる制御を無視して、入力された外部信号に設定されている優先順位に応じて予め決められた点灯状態にしている（例えば、特許文献１参照。）。
【０００３】
【特許文献１】特開平１０−３０２９６９号公報（［００１８］〜［００２０］、図１）
【発明の開示】
【発明が解決しようとする課題】
【０００４】
ところで、照明器具を構成する蛍光ランプは、始動時に電極に塗布されている電子放射物質が消耗するため、一般に、その点滅回数が多くなるとランプ寿命は短くなる。例えば、蛍光ランプを１日に２０〜３０回も点滅させると、１回も点滅させない場合に比べて、その寿命は半減してしまう。しかし、人の不在時には蛍光ランプを消灯しておく方が電気代がかからないことはいうまでもない。これに対し、蛍光ランプを調光した場合、ランプ寿命への影響はないが、調光率を２５％とすると、調光率を１００％としたときの３５％の電力消費がある。ここで、調光率とは、蛍光ランプが全光点灯した場合の明るさを１００％としたときの明るさの度合いをいい、調光率が７０％とすると、蛍光ランプの明るさの度合いは７０％になることを意味する。以下、蛍光ランプのランプ寿命の延長を図ることと消費電力の削減を図ることとを併せて省エネルギー化を図ると呼ぶことにする。
上記した従来の照明制御装置では、省エネルギー化を図ることについては何ら考慮されていない。
【０００５】
一方、蛍光ランプの点滅や調光によって人が感じる感覚は、同一の建物内であっても以下に示すように異なっている。すなわち、廊下や階段等、人感センサや照度センサの各検知エリアに比べて照明を当てるべきエリアが広い箇所では、複数の照明制御装置を設ける必要がある。この場合、上記した従来の照明制御装置は、隣接する装置間で何ら信号の交換を行わないので、各照明制御装置において、人感センサが人体非検知状態又は人体検知状態となるごとに、照明器具の点灯、消灯及び明るさ等を制御することになる。すなわち、人の通過に従って、人が進行していくエリアでは照明器具が順次点灯していき、人が通過したエリアでは照明器具が順次消灯していくことになる。この結果、廊下や階段を通過する人は、不安感、寂寥感、疎外感などの違和感を感じる。
【０００６】
また、トイレ、喫煙コーナー、給湯室等、他の箇所に比べて人が長時間留まることがなく、比較的狭い上、消臭や換気等のために換気扇が設けられている箇所では、人が全くいない状態でその箇所に人が進入した際に蛍光ランプが消灯していると上記した違和感を感じるが、蛍光ランプが最低照度で点灯している状態で人の進入と同時に蛍光ランプを最大照度に調光し、人がいなくなると直ちに最低照度に戻しても、上記した違和感を感じることはない。また、臭気や、人の呼気及びガスの燃焼に基づく二酸化炭素等は、人がいなくなってもしばらくは当該エリアに留まっている。したがって、換気扇は、人がいなくなってもしばらくは作動させる必要があるが、上記した従来の照明制御装置には人感センサの検出値を外部に出力する機能を有していないため、換気扇専用の人感センサ及びタイマを設けるか、照明制御装置からの調光信号をリレーをオン／オフするための信号に変換するリレー制御端末器を別個に設ける必要がある。
【０００７】
さらに、企業の受付窓口、顧客用玄関、顧客用エレベータホール等、顧客が一時的に到来する箇所では、就業時間中は受付係等の人が不在であっても照明は点灯しておく必要がある。何故なら、顧客は、来訪した際にこの種の箇所で照明が消灯していると、この企業が休業であると勘違いしたり、活動的でないと感じたりするなど、あまり良い印象を受けないからである。一方、就業時間前後では、省エネルギー化を図るためには、蛍光ランプを、人の不在時には最低照度に調光し、人が到来した時には適正な照度に調光した方が良い。しかし、上記した従来の照明制御装置は、省エネルギー化はもちろん、時間に応じて人感センサの有効／無効を制御する機能も有していないので、このような要求に応えることができない。
【０００８】
また、照明制御装置を構成する照度センサは、検知エリア内の平均照度（ターゲットは床面又は机上面）を検知しているが、例えば、午後３時を過ぎた頃から、床面に西日等の直射日光が当たった場合、直射日光の照度が極めて高い（例えば、約１５，０００ルクス以上）ため、照度センサの検知エリア内の平均照度も高くなる。この結果、照明制御装置は、窓際ほど照明の調光率を下げてしまい、床面は明るいが西日が当たっていない窓際の机上面だけが極端に照明が暗くなってしまう。そこで、従来では、直射日光があたる時間帯では、窓際に取り付けられたブラインドを閉めて利用するように推奨されているが、これでは利用者の手間となるとともに、照明制御装置を設けた意味が半減する。
【０００９】
本発明は、上述のような課題を解決するためになされたもので、その目的は、省エネルギー化を図りつつ、照明の調光に対する人の感覚（快適性）も向上させることができる照明制御装置、照明装置、照明制御システム及び照明システムを得るものである。
【課題を解決するための手段】
【００１０】
本発明に係る照明制御装置は、人体の有無を検出する人感センサからの人体検出信号と、検知エリア内の照度を検知する照度センサからの検出値とに基づいて、照明器具の点灯、消灯及び明るさを制御するものであり、人体検知状態であることを示す値又は、人体検知状態であることを示す値を保持時間分だけ延長した値を出力する出力動作モード１と、人体検知状態であることを示す値をディレイ時間だけ延長した値又は、人体検知状態であることを示す値をディレイ時間及び保持時間分だけ延長した値を出力する出力動作モード２と、出力すべき調光信号が予め設定された第１のしきい値より高い場合には第１の値を、第１のしきい値より低い場合には第２の値を出力する出力動作モード３と、照度センサからの検出値が予め設定された第２のしきい値より高い場合には第１の値を、第２のしきい値より低い場合には第２の値を出力する出力動作モード４と、出力すべき調光信号を変換したアナログの電圧値を出力する出力動作モード５と、照度センサからの検出値を変換したアナログの電圧値を出力する出力動作モード６と、外部信号をそのまま又は信号処理した後に出力する出力動作モード７とを有し、前記動作モードが実行可能かつ選択可能に構成されているものである。
【発明の効果】
【００１１】
本発明は、照明器具を設置するエリアに合わせて出力動作モードを選択することにより、省エネルギー化を図りつつ、照明の調光に対する人の感覚（快適性）も向上させることができる。
【発明を実施するための最良の形態】
【００１２】
実施の形態１．
図１は、本発明の実施の形態１における照明装置を示すものである。この例の照明装置は、照明制御装置１と、人感センサ２と、照度センサ３と、照明器具４1〜４n（ｎは自然数）と、照明リモコン５と、調光信号線６とから構成されている。照明制御装置１は、人感センサ２の人体検出信号ＳH、照度センサ３の検出値ＤL、外部から供給される各種外部信号、照明リモコン５からのコマンド信号ＳCIに基づいて、照明器具４1〜４nの点灯、消灯及び明るさ等を制御する。また、照明制御装置１は、人感センサ２の人体検出信号ＳH、照度センサ３の検出値ＤL、あるいは後述するＰＷＭ(Pulse Wide Modulation)の調光信号ＳCL等を出力する。
【００１３】
人感センサ２は、検知エリア内で人体が動くことによって生じる温度変化に応じて動作し、人体を検出した場合には人体検知状態であることを示す値（例えば、"Ｈ"レベル）の人体検出信号ＳHを、人体を検出しない場合には人体非検知状態であることを示す値（例えば、"Ｌ"レベル）の人体検出信号ＳHを照明制御装置１に供給する。人感センサ２は、具体的には、例えば、２ｍの距離で約３０ｃｍの手の動きを検知することができ、高さ２．５ｍの天井に取り付けられた場合、検知エリアは、その直下の床面上を中心とする５ｍ×７ｍ程度の長方形を底面とし、人感センサ２を頂点とした四角錐状である。
【００１４】
照度センサ３は、検知エリア内の平均照度（ターゲットは床面又は机上面）を検知してその平均照度に応じた電圧値である検出値ＤL（０〜５Ｖ）を照明制御装置１に供給する。高さ２ｍの天井に取り付けられた場合、検知エリアは、その直下の床面上を中心とする直径４ｍ程度の円を底面とし、照度センサ３を頂点とした円錐状である。照度センサ３は、例えば、人の目に近い感度で明るさを検知するような受光感度を有するフォトダイオード、フォトトランジスタ等の光電変換素子と、検知エリア内のどの位置からの光もほぼ均等な重みで捉えるための平均化フィルタとから構成されている。
【００１５】
照明器具４1〜４nは、蛍光ランプ、インバータ回路等を有し、照明制御装置１と調光信号線６を介して接続されている。照明器具４1〜４nは、照明制御装置１から調光信号線６を介して供給されるＰＷＭの調光信号ＳCLに基づいてその光量が連続的に変化させられる。なお、各照明器具４1〜４nを総称する場合には、単に照明器具４と呼ぶ。照明リモコン５は、操作者が照明制御の各種設定操作を行う際に用いるものであり、上記操作に応じた赤外線のコマンド信号ＳCIを照明制御装置１に供給する。なお、照明リモコン５の構成及び機能の詳細については、例えば、特開２００２−２９９０７１号公報を参照されたい。
【００１６】
照明制御装置１は、外部入出力部１１と、制御部１２と、調光信号出力部１３と、送受信部１４と、記憶部１５とから構成されており、複数の入出力端子１６が設けられている。図１は、３個の入出力端子１６1〜１６3が設けられている例を示している。
外部入出力部１１は、１個の入出力端子１６あたり、図２に示すように、電流制限抵抗２１〜２３と、入力バッファ２４と、出力バッファ２５とから構成されている。電流制限抵抗２１は、制御部１２の入力ポートと入力バッファ２４との間に介挿され、上記入力ポートと入力バッファ２４との間に流れる電流量を制限する。電流制限抵抗２２は、制御部１２の出力ポートと出力バッファ２５との間に介挿され、上記出力ポートと出力バッファ２５との間に流れる電流量を制限する。電流制限抵抗２３は、入出力端子１６と入力バッファ２４及び出力バッファ２５との間に介挿され、上記入出力端子１６と入力バッファ２４及び出力バッファ２５との間に流れる電流量を制限する。入力バッファ２４は、例えば、発光ダイオードとフォトトランジスタとからなるフォトカプラ等により構成され、入力信号の雑音除去や波形整形を行う。出力バッファ２５は、上記フォトカプラ等により構成され、出力信号の雑音除去や波形整形を行う。
【００１７】
外部入出力部１１は、ある入出力端子１６が入力動作モードに設定されると、当該入力ポート側に悪影響を与えないように、制御部１２の入力ポートに対応する出力ポートから"Ｌ"レベルを出力するとともに、入出力端子１６から供給される外部信号を読み込み、制御部１２に供給する。一方、ある入出力端子１６が出力動作モードに設定されると、外部入出力部１１は、制御部１２の出力ポートから供給される"Ｈ"レベル又は"Ｌ"レベルの情報を出力バッファ２５を介して入出力端子１６に供給するとともに、入出力端子１６の状態変化をモニタするために、入出力端子１６の状態変化を入力バッファ２４を介して制御部１２の入力ポートに供給する。
【００１８】
制御部１２は、中央処理装置（ＣＰＵ）、デジタルシグナルプロセッサ（ＤＳＰ）、シーケンサ等からなり、記憶部１５に記憶されている照明制御プログラム等に基づいて、照明制御処理等を実行することにより、装置各部を制御する。すなわち、例えば、照明制御プログラムが読み出されると、制御部１２に読み込まれ、制御部１２の動作を制御する。制御部１２は、照明制御プログラムが起動されると、照明制御プログラムの制御により、後述する照明制御処理を実行するのである。照明制御処理は、人体検出信号ＳH、検出値ＤL、各種外部信号、送受信部１４からのコマンド信号ＳCE（後述）に基づいて、照明器具４1〜４nの点灯、消灯及び明るさ等を制御するとともに、人体検出信号ＳH、検出値ＤL、調光信号ＳCL等を出力する処理である。
【００１９】
調光信号出力部１３は、制御部１２からの調光率の調光指令に基づいて、ＰＷＭの調光信号ＳCLを生成して調光信号線６を介して照明器具４1〜４nに出力する。送受信部１４は、照明リモコン５からの赤外線のコマンド信号ＳCIを受信して電気信号のコマンド信号ＳCEに変換して制御部１２に供給するとともに、制御部１２から供給される現在の調光率を示す電気信号の調光率信号ＳRを赤外線の調光率信号ＳRIに変換して照明リモコン５に送信する。
【００２０】
記憶部１５は、ＲＡＭやＲＯＭ、あるいはフラッシュメモリ等の半導体メモリからなる。記憶部１５には、上記した制御部１２が実行すべき上記照明制御プログラムその他の各種プログラムが予め記憶されているとともに、制御部１２が上記照明制御プログラムその他の各種プログラムを実行する際に作業用として用いるワーキング記憶領域が確保されている。
【００２１】
図３は上記構成の照明装置が適用されたあるビルディングのある廊下の天井の概略平面図、図４は上記廊下の側面図である。この廊下は、５ｍ×５ｍの正方形状の床面からなる４個の廊下エリアブロック３１ａ〜３１ｄに分割されている。各廊下エリアブロック３１ａ〜３１ｄの天井には、図３に示すように、略中央に形成された略円形の埋め込み穴に、略円筒状のハウジングに収容された照明制御装置１ａ〜１ｄが埋め込まれている。ここで、照明制御装置１ａ〜１ｄの符号「１」の添え字「ａ」〜「ｄ」は、各廊下エリアブロック３１ａ〜３１ｄに対応して設けられていることを示しており、それぞれの構成及び機能が異なっている訳でない。以下において、各構成要素及び各信号の添え字についても同様である。ハウジングには、略中央に照度センサ３ａ〜３ｄが取り付けられているとともに、各照度センサ３ａ〜３ｄの近傍に人感センサ２ａ〜２ｄが取り付けられている。したがって、図４に示すように、各廊下エリアブロック３１ａ〜３１ｄの各人感センサ２ａ〜２ｄの検知エリア３２ａ〜３２ｄが互いにほとんど重なることなく接している。
【００２２】
また、各照明制御装置１ａ〜１ｄは、図４に示すように、入出力信号線３３1〜３３3を介して互いに接続されている。すなわち、図４において、照明制御装置１ａの入出力端子１６1と照明制御装置１ｂの入出力端子１６2とが入出力信号線３３1を介して接続され、照明制御装置１ｂの入出力端子１６1と照明制御装置１ｃの入出力端子１６2とが入出力信号線３３2を介して接続され、照明制御装置１ｃの入出力端子１６1と照明制御装置１ｄの入出力端子１６2とが入出力信号線３３3を介して接続されている。また、各廊下エリアブロック３１ａ〜３１ｄの天井には、図３に示すように、４個の照明器具４1〜４4が略対称となる位置に取り付けられている。図３に示す各照明器具４1〜４4は、２本の直管４０ｗ形の蛍光ランプ３４や図示せぬインバータ回路等を有している。図３及び図４に示す４個の照明制御装置１ａ〜１ｄと、４個の人感センサ２ａ〜２ｄと、４個の照度センサ３ａ〜３ｄと、１６個の照明器具４とは、照明システムを構成している。
【００２３】
次に、上記構成の照明システムの動作について説明する。まず、照明制御装置１の動作モードとして、以下に示すように、６個の出力動作モードと、４個の入力動作モードとがあり、操作者が照明リモコン５を操作して、動作モードの選択及び各動作モードにおける調光率、保持時間ＴK、ディレイ時間ＴD、第１のしきい値ＳTH1、第２のしきい値ＳTH2（いずれも後述）の設定を行う。他の実施の形態においても同様である。なお、照明リモコン５の操作方法及びコマンド信号ＳCIの照明制御装置１への供給方法等の詳細については、例えば、上記した特開２００２−２９９０７１号公報を参照されたい。
【００２４】
［１］出力動作モード
（ｉ）出力動作モード１
この出力動作モード１は、人体検知状態であることを示す値（例えば、"Ｈ"レベル）又は、この人体検知状態であることを示す値を保持時間ＴK分だけ延長した値として、値ＳHOを外部に出力する動作モードである。ここで、人体検知状態であることを示す値とは、当該照明制御装置１に接続された人感センサ２からの人体検出信号ＳHそのものの値の他、後述する入力動作モード２において外部信号によって強制的に人体検知状態であることを示すように設定された値をいう。ここで、保持時間ＴKについて説明する。人感センサ２が一般的に検知エリアに人がいるにもかかわらず動かないために不在であると認識して、照明制御装置１に対し、人体非検知状態であることを示す値（例えば、"Ｌ"レベル）の人体検出信号ＳHを供給してしまう。そこで、このような誤動作を防止するために、照明制御装置１は、人感センサ２から人体非検知状態であることを示す値（例えば、"Ｌ"レベル）の人体検出信号ＳHが供給された場合であっても、その認識時から所定時間は強制的に人体検知状態であると設定するのである。上記所定時間を保持時間ＴKと呼ぶ。
【００２５】
（ii）出力動作モード２
この出力動作モード２は、人体検知状態であることを示す値（例えば、"Ｈ"レベル）をディレイ時間ＴD分だけ延長した値又は、この人体検知状態であることを示す値を上記ディレイ時間ＴD及び上記保持時間ＴK分だけ延長した値を外部に出力する動作モードである。ここで、ディレイ時間ＴDとは、人体検知状態から人体非検知状態に変化した時から人体検知状態を遅延させるために予め設定された時間をいう。
（iii）出力動作モード３
この出力動作モード３は、調光信号出力部１３から出力されるＰＷＭの調光信号ＳCLについて、予め第１のしきい値ＳTH1を設定し、現在の調光信号ＳCLが第１のしきい値ＳTH1より高い場合には第１の値（例えば、"Ｈ"レベル）を、現在の調光信号ＳCLが第１のしきい値ＳTH1より低い場合には第２の値（例えば、"Ｌ"レベル）を外部に出力する動作モードである。
【００２６】
（iv）出力動作モード４
この出力動作モード４は、照度センサ３から供給される検出値ＤL（０〜５Ｖ）について、予め第２のしきい値ＳTH2を設定し、現在の検出値ＤLが第２のしきい値ＳTH2より高い場合には第１の値（例えば、"Ｈ"レベル）を、現在の検出値ＤLが第２のしきい値ＳTH2より低い場合には第２の値（例えば、"Ｌ"レベル）を外部に出力する動作モードである。
（v）出力動作モード５
この出力動作モード５は、調光信号出力部１３から出力されるＰＷＭの調光信号ＳCLをアナログの電圧値（例えば、０〜１０Ｖ）に変換して、その電圧値を外部に出力する動作モードである。
【００２７】
（vi）出力動作モード６
この出力動作モード６は、照度センサ３から供給される検出値ＤL（０〜５Ｖ）をアナログの電圧値（例えば、０〜１０Ｖ）に変換して、その電圧値を外部に出力する動作モードである。
（vii）出力動作モード７
この出力動作モード７は、ある入出力端子１６から供給された外部信号をそのまま又は増幅や波形整形等の信号を施した後に他の入出力端子１６から外部に出力する動作モードである。
【００２８】
［２］入力動作モード
（ｉ）入力動作モード１
この入力動作モード１は、外部から供給される外部信号の状態（第１の値（例えば、"Ｈ"レベル）又は第２の値（例えば、"Ｌ"レベル））に基づいて、調光信号出力部１３を制御して、調光率０％（消灯状態）を示す調光信号ＳCL又は調光率１００％（点灯状態）を示す調光信号ＳCLのいずれかを出力させる動作モードである。なお、この入力動作モード１は、例えば、火災発生等の緊急時に、省エネルギー化及び照明の調光に対する人の感覚（快適性）を考慮することなく、直ちに調光率１００％で蛍光ランプを点灯する場合などに用いられるが、周知の技術であるので、この実施の形態及び他の実施の形態では特に説明しない。
【００２９】
（ii）入力動作モード２
この入力動作モード２は、外部から供給される外部信号の状態（第１の値（例えば、"Ｈ"レベル）又は第２の値（例えば、"Ｌ"レベル））に基づいて、自己に接続されている人感センサ２ａからの人体検出信号ＳHbの値にかかわらず、上記人体検出信号ＳHbの値を、強制的に、人体検知状態であることを示す値（例えば、"Ｈ"レベル）又は人体非検知状態であることを示す値（例えば、"Ｌ"レベル）に設定する動作モードをいう。
【００３０】
（iii）入力動作モード３
この入力動作モード３は、外部から供給される外部信号の状態（第１の値（例えば、"Ｈ"レベル）又は第２の値（例えば、"Ｌ"レベル））に基づいて、強制的に、人感センサ２からの人体検出信号ＳHの値やそれに関連した値を有効又は無効に設定する動作モードである。
【００３１】
（iv）入力動作モード４
この入力動作モード４は、外部から供給される外部信号の状態（第１の値（例えば、"Ｈ"レベル）又は第２の値（例えば、"Ｌ"レベル））に基づいて、強制的に、照度センサ３からの検出値ＤL（０〜５Ｖ）を有効又は無効に設定する動作モードである。
【００３２】
次に、図３及び図４に示す廊下に設置されている照明システムの動作について、図５を参照して説明する。各照明制御装置１ａ〜１ｄでは、入出力端子１６1については出力動作モード１が、入出力端子１６2については入力動作モード２が設定されており、隣接する照明制御装置１の入出力端子１６1から入出力信号線３３を介して供給される値ＳHOが外部信号として入出力端子１６2から入力される。また、各照明制御装置１ａ〜１ｄでは、入出力端子１６1については出力動作モード１が設定されているために、同一の保持時間ＴKが予め設定されているものとする。後述する図５の例では、説明を簡単にするために、保持時間ＴKは、各人感センサが歩いている人を検知している時間と同一の時間として示している。
【００３３】
また、各照明制御装置１ａ〜１ｄでは、入出力端子１６2については入力動作モード２が設定されているために、隣接する照明制御装置１から供給される値ＳHO、すなわち、人体検知状態であることを示す値（例えば、"Ｈ"レベル）に基づいて、調光信号出力部１３を制御して調光率５０％を示す調光信号ＳCLを出力させる。さらに、各照明制御装置１ａ〜１ｄでは、調光信号出力部１３を制御して、自己に接続されている人感センサ２からの人体検出信号ＳHの値が、人体検知状態であることを示す値（例えば、"Ｈ"レベル）である場合には、調光率７０％を示す調光信号ＳCLを出力させるとともに、人体非検知状態であることを示す値（例えば、"Ｌ"レベル）である場合には、調光率０％を示す調光信号ＳCLを出力させる。また、各照明制御装置１ａ〜１ｄでは、上記保持時間ＴKの経過後は、調光信号出力部１３を制御して、調光率５０％を示す調光信号ＳCLを出力させる。
【００３４】
まず、初期状態では、各照明制御装置１ａ〜１ｄに接続されているすべての人感センサ２が人を検知していないため、各照明制御装置１ａ〜１ｄは、調光信号出力部１３を制御して、調光率０％を示す調光信号ＳCLを出力させる。したがって、図３に示す１６個の照明器具４はすべて消灯している。このような状態において、図５に示す時刻ｔ1に、図４に示すように、ある人が図中左側からこの廊下に進入して、照明制御装置１ａに接続されている人感センサ２ａの検知エリア３２ａ内に入ったとする。
【００３５】
これにより、人感センサ２ａは、照明制御装置１ａに対し、人体検知状態であることを示す値（この例では、"Ｈ"レベル）の人体検出信号ＳHaを供給する（図５（ａ）参照）ので、照明制御装置１ａは、調光信号出力部１３を制御して、図５（ｂ）に示す調光率７０％に対応した調光信号ＳCLaを出力させる。また、照明制御装置１ａは、入出力端子１６1については出力動作モード１が設定されているために、隣接する照明制御装置１ｂに対して、入出力信号線３３1を介して、図５（ｃ）に示すように、人体検知状態であることを示す値（この例では、"Ｈ"レベル）を有する値ＳHOaを供給する。
【００３６】
"Ｈ"レベルの値ＳHOaが入出力端子１６2から入力された照明制御装置１ｂは、時刻ｔ1では、図５（ｄ）に示すように、いまだ自己に接続されている人感センサ２ｂが人体非検知状態であることを示す値（この例では、"Ｌ"レベル）の人体検出信号ＳHbを供給しているが、入出力端子１６2については入力動作モード２が設定されているために、調光信号出力部１３を制御して図５（ｅ）に示す調光率５０％に対応した調光信号ＳCLを出力させる。また、照明制御装置１ｂは、入出力端子１６2については入力動作モード２が設定されているために、照明制御装置１ａから供給された"Ｈ"レベルの値ＳHOaに基づいて、自己に接続されている人感センサ２ｂからの人体検出信号ＳHbの値を、強制的に、人体検知状態であることを示す値（この例では、"Ｈ"レベル）に設定する。また、照明制御装置１ｂは、入出力端子１６1については出力動作モード１が設定されているために、隣接する照明制御装置１ｃに対して、入出力端子１６1及び入出力信号線３３2を介して、図５（ｆ）に示すように、"Ｈ"レベルの値ＳHObを供給する。
【００３７】
"Ｈ"レベルの値ＳHObが入出力端子１６2から入力された照明制御装置１ｃは、時刻ｔ1では、図５（ｇ）に示すように、いまだ人感センサ２ｃが"Ｌ"レベルの人体検出信号ＳHbを供給しているが、入出力端子１６2については入力動作モード２が設定されているために、調光信号出力部１３を制御して図５（ｈ）に示す調光率５０％に対応した調光信号ＳCLを出力させる。また、照明制御装置１ｂは、入出力端子１６2については入力動作モード２が設定されているために、照明制御装置１ｂから供給された"Ｈ"レベルの値ＳHOaに基づいて、人感センサ２ｃからの人体検出信号ＳHcの値を、強制的に、"Ｈ"レベルに設定する。また、照明制御装置１ｃは、入出力端子１６1については出力動作モード１が設定されているために、隣接する照明制御装置１ｄに対して、入出力端子１６1及び入出力信号線３３3を介して、図５（ｉ）に示すように、"Ｈ"レベルの値ＳHOcを供給する。
【００３８】
"Ｈ"レベルの値ＳHOcが入出力端子１６2から入力された照明制御装置１ｄは、時刻ｔ1では、図５（ｊ）に示すように、いまだ人感センサ２ｄが"Ｌ"レベルの人体検出信号ＳHbを供給しているが、入出力端子１６2については入力動作モード２が設定されているために、調光信号出力部１３を制御して図５（ｋ）に示す調光率５０％に対応した調光信号ＳCLを出力させる。また、照明制御装置１ｄは、入出力端子１６2については入力動作モード２が設定されているために、照明制御装置１ｃから供給された"Ｈ"レベルの値ＳHOcに基づいて、人感センサ２ｄからの人体検出信号ＳHdの値を、強制的に、"Ｈ"レベルに設定する。
以上説明した一連の動作の結果、廊下エリアブロック３１ａに設けられた照明器具４は調光率７０％に対応した光量で点灯し、他の廊下エリアブロック３１ｂ〜３１ｄに設けられた照明器具４は調光率５０％に対応した光量で点灯する。
【００３９】
次に、人がこの廊下を図中左から右に歩行することにより、時刻ｔ2に、照明制御装置１ａに接続されている人感センサ２ａの検知エリア３２ａ内から抜けて照明制御装置１ｂに接続されている人感センサ２ｂの検知エリア３２ｂ内に入ると、人感センサ２ａは、図５（ａ）に示すように、照明制御装置１ａに"Ｌ"レベルの人体検出信号ＳHaを供給し、人感センサ２ｂは、図５（ｄ）に示すように、照明制御装置１ｂに"Ｈ"レベルの人体検出信号ＳHbを供給する。これにより、照明制御装置１ｂは、調光信号出力部１３を制御して、図５（ｅ）に示す調光率７０％に対応した調光信号ＳCLbを出力させる。また、照明制御装置１ｂは、入出力端子１６1については出力動作モード１が設定されているために、隣接する照明制御装置１ｃに対して、入出力端子１６1及び入出力信号線３３1を介して、図５（ｆ）に示すように、"Ｈ"レベルの値ＳHObを供給し続ける。
【００４０】
"Ｈ"レベルの値ＳHObが入出力端子１６2から入力された照明制御装置１ｃは、時刻ｔ2では、図５（ｇ）に示すように、いまだ人感センサ２ｃが"Ｌ"レベルの人体検出信号ＳHbを供給しているが、入出力端子１６2については入力動作モード２が設定されているために、調光信号出力部１３を制御して図５（ｈ）に示す調光率５０％に対応した調光信号ＳCLを出力させ続ける。また、照明制御装置１ｃは、入出力端子１６2については入力動作モード２が設定されているために、照明制御装置１ｂから供給された"Ｈ"レベルの値ＳHObに基づいて、人感センサ２ｃからの人体検出信号ＳHbの値を、強制的に、"Ｈ"レベルに設定し続ける。また、照明制御装置１ｃは、入出力端子１６1については出力動作モード１が設定されているために、隣接する照明制御装置１ｄに対して、入出力端子１６1及び入出力信号線３３3を介して、図５（ｉ）に示すように、"Ｈ"レベルの値ＳHOcを供給し続ける。
【００４１】
"Ｈ"レベルの値ＳHOcが入出力端子１６2から入力された照明制御装置１ｄは、時刻ｔ2では、図５（ｊ）に示すように、いまだ人感センサ２ｄが"Ｌ"レベルの人体検出信号ＳHbを供給しているが、入出力端子１６2については入力動作モード２が設定されているために、調光信号出力部１３を制御して図５（ｋ）に示す調光率５０％に対応した調光信号ＳCLを出力させ続ける。また、照明制御装置１ｄは、入出力端子１６2については入力動作モード２が設定されているために、照明制御装置１ｃから供給された"Ｈ"レベルの値ＳHOcに基づいて、人感センサ２ｄからの人体検出信号ＳHdの値を、強制的に、"Ｈ"レベルに設定する。
【００４２】
なお、照明制御装置１ａは、保持時間ＴKが経過していないので、調光信号出力部１３を制御して図５（ｂ）に示す調光率７０％に対応した調光信号ＳCLを出力させ続けるとともに、入出力端子１６1については出力動作モード１が設定されているために、照明制御装置１ｂに対して、入出力端子１６1及び入出力信号線３３1を介して、図５（ｃ）に示すように、"Ｈ"レベルの値ＳHOaを供給し続ける。
以上説明した一連の動作の結果、廊下エリアブロック３１ａ及び３１ｂに設けられた照明器具４は調光率７０％に対応した光量で点灯し、他の廊下エリアブロック３１ｃ及び３１ｄに設けられた照明器具４は調光率５０％に対応した光量で点灯する。
【００４３】
次に、人がこの廊下をさらに図中左から右に歩行することにより、時刻ｔ3に、照明制御装置１ｂに接続されている人感センサ２ｂの検知エリア３２ｂ内から抜けて照明制御装置１ｃに接続されている人感センサ２ｃの検知エリア３２ｃ内に入ると、人感センサ２ｂは、図５（ｄ）に示すように、照明制御装置１ｂに"Ｌ"レベルの人体検出信号ＳHbを供給し、人感センサ２ｃは、図５（ｇ）に示すように、照明制御装置１ｃに"Ｈ"レベルの人体検出信号ＳHcを供給する。これにより、照明制御装置１ｃは、調光信号出力部１３を制御して、図５（ｈ）に示す調光率７０％に対応した調光信号ＳCLcを出力させる。また、照明制御装置１ｃは、入出力端子１６1については出力動作モード１が設定されているために、隣接する照明制御装置１ｄに対して、入出力端子１６1及び入出力信号線３３2を介して、図５（ｉ）に示すように、"Ｈ"レベルの値ＳHOcを供給し続ける。
【００４４】
"Ｈ"レベルの値ＳHOcが入出力端子１６2から入力された照明制御装置１ｄは、時刻ｔ3では、図５（ｊ）に示すように、いまだ人感センサ２ｄが"Ｌ"レベルの人体検出信号ＳHbを供給しているが、入出力端子１６2については入力動作モード２が設定されているために、調光信号出力部１３を制御して図５（ｋ）に示す調光率５０％に対応した調光信号ＳCLを出力させ続ける。また、照明制御装置１ｄは、入出力端子１６2については入力動作モード２が設定されているために、照明制御装置１ｃから供給された"Ｈ"レベルの値ＳHOcに基づいて、人感センサ２ｄからの人体検出信号ＳHdの値を、強制的に、"Ｈ"レベルに設定する。
【００４５】
また、照明制御装置１ａは、時刻ｔ3では、保持時間ＴKが経過したので、調光信号出力部１３を制御して図５（ｂ）に示す調光率５０％に対応した調光信号ＳCLを出力させるとともに、入出力端子１６1については出力動作モード１が設定されているために、照明制御装置１ｂに対して、入出力端子１６1及び入出力信号線３３1を介して、図５（ｃ）に示すように、"Ｌ"レベルの値ＳHOaを供給する。
以上説明した一連の動作の結果、廊下エリアブロック３１ｂ及び３１ｃに設けられた照明器具４は調光率７０％に対応した光量で点灯し、他の廊下エリアブロック３１ａ及び３１ｄに設けられた照明器具４は調光率５０％に対応した光量で点灯する。以上の動作は、時刻ｔ4以降においても同様である。
【００４６】
このように、この例の構成によれば、照明制御装置１の動作モードとして、６個の出力動作モードと４個の入力動作モードとを設けるとともに、各動作モードと、各動作モードにおける調光率を操作者が照明リモコン５を操作して選択及び設定可能に構成している。また、図３及び図４に示すように、廊下に、４個の照明制御装置１ａ〜１ｄと、４個の人感センサ２ａ〜２ｄと、４個の照度センサ３ａ〜３ｄと、１６個の照明器具４から構成され、各照明制御装置１ａ〜１ｄを入出力信号線３３1〜３３3を介して接続した照明システムを設け、各照明制御装置１ａ〜１ｄの動作モードとして、入出力端子１６1については出力動作モード１を、入出力端子１６2については入力動作モード２を選択している。
【００４７】
したがって、少なくとも１個の人感センサ２が人を検知した場合には、廊下全体に最低必要な照度（調光率５０％で３００ルクス）で照明器具４が点灯し、さらに人の動きに応じて必要な照度（調光率７０％で５００ルクス）を確保し、安全に省エネルギー化を図ることができる。これにより、省エネルギー化を図りつつ、照明の調光に対する人の感覚（快適性）も向上させることができる。なお、人が検知されていない廊下エリアブロックに設けられた照明器具４を調光率を５０％より低い値、例えば、調光率２５％に対応した光量で点灯させれば、照明の調光に対する人の感覚（快適性）は多少犠牲になるが、より一層省エネルギー化を図ることができる。
【００４８】
実施の形態２．
図６は本発明の実施の形態２における照明装置が適用されたトイレの天井の概略平面図、図７は上記トイレの床の概略平面図、図８は上記トイレの側面図である。トイレの天井には、図６に示すように、略中央に形成された略円形の埋め込み穴に、略円筒状のハウジングに収容された照明制御装置１が埋め込まれている。ハウジングには、略中央に照度センサ３が取り付けられているとともに、照度センサ３の近傍に人感センサ２が取り付けられている。また、トイレの天井には、２個の照明器具４1及び４2が天井の略対称となる位置に取り付けられている。図６に示す各照明器具４1及び４2は、２本の直管２０ｗ形の蛍光ランプ４２や図示せぬインバータ回路等を有している。なお、照明制御装置１、人感センサ２、照度センサ３、照明器具４１及び４２との接続状態は、図１の場合と同様である。
【００４９】
さらに、トイレの天井には、図７に示す洋式便器４３の略直上に、換気扇４１が取り付けられており、排気が天井裏に設けられたダクトを介して外部に排出されるように構成されている。換気扇４１は、いずれも図示しないが、モータやファン等により構成されている。照明制御装置１の入出力端子１６1と換気扇４１とが接続されている。また、図７に示すように、トイレの床面に洋式便器４３が取り付けられているとともに、側板４４1及び４４2が取り付けられ、側板４４1と側板４４2との間にはドア４５が取り付けられて個室を形成している。人感センサ２は、図８に示すように、個室全体を検知エリア４６としている。
【００５０】
次に、上記構成の照明装置の動作について、図９を参照して説明する。この照明制御装置１では、入出力端子１６1については出力動作モード２が設定されており、このため保持時間ＴK（例えば、３分）及びディレイ時間ＴD（例えば、５分）が予め設定されている。また、この照明制御装置１では、調光信号出力部１３を制御して、自己に接続されている人感センサ２からの人体検出信号ＳHの値が、人体検知状態であることを示す値（例えば、"Ｈ"レベル）である場合には、調光率７０％を示す調光信号ＳCLを出力させるとともに、人体非検知状態であることを示す値（例えば、"Ｌ"レベル）である場合には、調光率０％を示す調光信号ＳCLを出力させる。
【００５１】
まず、初期状態では、照明制御装置１に接続されている人感センサ２が人を検知していないため、照明制御装置１は、調光信号出力部１３を制御して、調光率０％を示す調光信号ＳCLを出力させる。したがって、図６に示す２個の照明器具４はいずれも消灯している。このような状態において、図９に示す時刻ｔ1に、図８に示すように、ある人が個室内に進入して洋式便器４３に座り、照明制御装置１に接続されている人感センサ２の検知エリア４６内に入ったとする。
【００５２】
これにより、人感センサ２は、照明制御装置１に対し、人体検知状態であることを示す値（この例では、"Ｈ"レベル）の人体検出信号ＳHを供給する（図９（ａ）参照）ので、照明制御装置１は、調光信号出力部１３を制御して、図９（ｂ）に示す調光率７０％に対応した調光信号ＳCLを出力させる。また、照明制御装置１は、入出力端子１６1については出力動作モード２が設定されているために、入出力端子１６1から換気扇４１に対して、図９（ｃ）に示すように、人体検知状態であることを示す値（この例では、"Ｈ"レベル）を有する値ＳHOを供給する。"Ｈ"レベルの値ＳHOが供給された換気扇４１は、図示せぬモータを駆動して図示せぬファンを回転させることにより、個室内の臭気や人の呼気に基づく二酸化炭素等の排気を開始する。
【００５３】
次に、時刻ｔ2に、人が用を足し終えてドア４５を開けて個室から退出することにより、照明制御装置１に接続されている人感センサ２の検知エリア４６内から出たとする。これにより、人感センサ２は、照明制御装置１に対し、人体非検知状態であることを示す値（この例では、"Ｌ"レベル）の人体検出信号ＳHを供給する（図９（ａ）参照）。しかし、照明制御装置１は、保持時間ＴKが経過していないので、調光信号出力部１３を制御して図９（ｂ）に示す調光率７０％に対応した調光信号ＳCLを出力させ続けるとともに、入出力端子１６1については出力動作モード２が設定されているために、入出力端子１６1から換気扇４１に対して、図９（ｃ）に示すように、"Ｈ"レベルの値ＳHOを供給し続ける。
【００５４】
次に、照明制御装置１は、時刻ｔ3では、保持時間ＴKが経過したので、調光信号出力部１３を制御して、図９（ｂ）に示すように、調光率が調光率７０％から調光率０％まで変化するような調光信号ＳCLを出力させる（フェードアウト）とともに、入出力端子１６1については出力動作モード２が設定されており、ディレイ時間ＴDが経過していないので、入出力端子１６1から換気扇４１に対して、図９（ｃ）に示すように、"Ｈ"レベルの値ＳHOを供給し続ける。フェードアウトに要する時間は、例えば、０．１秒程度とする。次に、照明制御装置１は、時刻ｔ4では、入出力端子１６1については出力動作モード２が設定されており、ディレイ時間ＴDが経過したので、入出力端子１６1から換気扇４１に対して、図９（ｃ）に示すように、"Ｌ"レベルの値ＳHOを供給する。"Ｌ"レベルの値ＳHOが供給された換気扇４１は、図示せぬモータの駆動を停止することにより、図示せぬファンの回転を停止させ、個室内の臭気や人の呼気に基づく二酸化炭素等の排気を停止する。
【００５５】
このように、この例の構成によれば、この例の照明制御装置１を、トイレ、喫煙コーナー、給湯室等、他の箇所に比べて人が長時間留まることがなく、比較的狭い上、消臭や換気等のために換気扇が設けられている箇所に設けるとともに、照明制御装置１の入出力端子１６1と換気扇４１とを接続している。さらに、入出力端子１６1については出力動作モード２を設定している。
【００５６】
したがって、照明器具４及び換気扇４１の消し忘れを防止することができて省エネルギー化を図りつつ、照明の調光に対する人の感覚（快適性）も向上させることができる。これにより、従来のように、換気扇４１専用の人感センサ及びタイマを設ける必要がない。なお、外付けされるリレーを用いて換気扇４１の電源のオン／オフを行うとともに、汎用のリモコンリレーを使用可能に構成する場合には、入出力端子１６1について出力動作モード２が設定された場合、入出力端子１６1からセットパルス及びリセットパルスを出力すれば良い。
【００５７】
実施の形態３．
図１０は本発明の実施の形態３における照明システムを示すものである。この例の照明システムは、照明制御装置１ａ及び１ｂと、人感センサ２ａ及び２ｂと、照度センサ３ａ及び３ｂと、２組の照明器具４1〜４4と、照明リモコン５ａ及び５ｂと、調光信号線６ａ及び６ｂと、タイマ５１とから構成されている。また、図１１は、上記構成の照明システムが適用されたエレベータホール５２及びエレベータエリア５３の天井の概略平面図、図１２は上記エレベータホール５２の床、エレベータ５４ａ及び５４ｂの概略平面図である。
【００５８】
エレベータホール５２の天井は、図１１に示すように、５ｍ×７ｍの長方形状の天井面からなる２個のエレベータホールブロック５２ａ及び５２ｂに分割されている。各エレベータホールブロック５２ａ及び５２ｂの天井には、図１１に示すように、略中央に形成された略円形の埋め込み穴に、略円筒状のハウジングに収容された照明制御装置１ａ及び１ｂが埋め込まれている。ハウジングには、略中央に照度センサ３ａ及び３ｂが取り付けられているとともに、各照度センサ３ａ及び３ｂの近傍に人感センサ２ａ及び２ｂが取り付けられている。したがって、図示しないが、各エレベータホールブロック５２ａ及び５２ｂの各人感センサ２ａ及び２ｂの検知エリアが互いにほとんど重なることなく接している。
【００５９】
タイマ５１は、例えば、ある企業の就業時間（例えば、午前９時頃〜午後６時頃）だけに"Ｈ"レベルの時刻到達信号ＳTを入出力信号線５２1を介して照明制御装置１ａに供給する。また、各照明制御装置１ａ及び１ｂは、図１０に示すように、入出力信号線５２2及び５２3を介して互いに接続されている。すなわち、照明制御装置１ａの入出力端子１６2と照明制御装置１ｂの入出力端子１６1とが入出力信号線５２2を介して接続され、照明制御装置１ａの入出力端子１６3と照明制御装置１ｂの入出力端子１６2とが入出力信号線５３3を介して接続されている。
【００６０】
また、各エレベータホールブロック５２ａ及び５２ｂの天井には、それぞれ４個の照明器具４1〜４4が天井の略対称となる位置に取り付けられている。図１１に示す各照明器具４1〜４4は、２本の直管４０ｗ形の蛍光ランプ５５や図示せぬインバータ回路等を有している。エレベータエリア５３には、図１２に示すように、２機のエレベータ５４ａ及び５４ｂが設置されている。なお、各エレベータ５４ａ及び５４ｂは上下階にわたって設置されているので、図１１に示すように、天井がなく、照明制御装置１も取り付けられていない。
【００６１】
次に、上記構成の照明システムの動作について説明する。照明制御装置１ａでは、入出力端子１６1については入力動作モード３が、入出力端子１６2については出力動作モード１が、入出力端子１６3については出力動作モード７が設定されている。すなわち、照明制御装置１ａは、タイマ５１から入出力信号線５２1及び入出力端子１６1を介して供給される時刻到達信号ＳTが"Ｈ"レベルの場合には、強制的に、人感センサ２ａからの人体検出信号ＳHの値に基づく動作の誤動作を防止するために設定されている保持時間ＴK（例えば、通常時は５分〜１０分程度）を長時間（今の場合、３０分）に設定し、タイマから供給される時刻到達信号ＳTが"Ｌ"レベルの場合には、強制的に、保持時間ＴKを短時間（今の場合、１分）に設定する。
【００６２】
また、入出力端子１６2については出力動作モード１が設定されているために、照明制御装置１ａは、保持時間ＴKが予め設定された値ＳHOaを入出力端子１６2及び入出力信号線５２2を介して照明制御装置１ｂに供給する。さらに、入出力端子１６3については出力動作モード７が設定されているため、照明制御装置１ａは、入出力端子１６1から供給された時刻到達信号ＳTをそのまま又は増幅や波形整形等の信号を施した後に入出力端子１６3から入出力信号線５２3を介して照明制御装置１ｂに供給する。
【００６３】
一方、照明制御装置１ｂでは、入出力端子１６1については入力動作モード２が、入出力端子１６2については入力動作モード３が設定されている。すなわち、照明制御装置１ａから入出力信号線５２2を介して供給された値ＳHOaが照明制御装置１ａの入出力端子１６1から外部信号として入力される。入出力端子１６2については入力動作モード２が設定されているために、照明制御装置１ｂは、照明制御装置１ａから供給される値ＳHO、すなわち、人体検知状態であることを示す値（例えば、"Ｈ"レベル）に基づいて、調光信号出力部１３を制御して調光率５０％を示す調光信号ＳCLを出力させる。
【００６４】
さらに、各照明制御装置１ａ及び１ｂでは、調光信号出力部１３を制御して、自己に接続されている人感センサ２からの人体検出信号ＳHの値が、人体検知状態であることを示す値（例えば、"Ｈ"レベル）である場合には、調光率７０％を示す調光信号ＳCLを出力させるとともに、人体非検知状態であることを示す値（例えば、"Ｌ"レベル）である場合には、調光率０％を示す調光信号ＳCLを出力させる。また、各照明制御装置１ａ及び１ｂでは、上記保持時間ＴKの経過後は、調光信号出力部１３を制御して、調光率５０％を示す調光信号ＳCLを出力させる。
【００６５】
まず、当該企業の就業時間前の初期状態では、各照明制御装置１ａ及び１ｂに接続されている人感センサ２ａ及び２ｂが人を検知しておらず、かつ、タイマ５１から"Ｈ"レベルの時刻到達信号ＳTが供給されていないため、各照明制御装置１ａ及び１ｂは、調光信号出力部１３を制御して、調光率０％を示す調光信号ＳCLを出力させる。したがって、図１０及び図１１に示す８個の照明器具４はすべて消灯している。このような状態において、就業時間前に、ある人がこのエレベータホール５２に進入して、照明制御装置１ａに接続されている人感センサ２ａの検知エリア内に入ったとする。
【００６６】
これにより、人感センサ２ａは、照明制御装置１ａに対し、人体検知状態であることを示す値（この例では、"Ｈ"レベル）の人体検出信号ＳHaを供給するので、照明制御装置１ａは、調光信号出力部１３を制御して、調光率７０％に対応した調光信号ＳCLaを出力させる。また、照明制御装置１ａは、入出力端子１６2については出力動作モード１が設定されているために、照明制御装置１ｂに対して、入出力端子１６2及び入出力信号線５２3を介して、人体検知状態であることを示す値（この例では、"Ｈ"レベル）を有する値ＳHOaを供給する。
【００６７】
"Ｈ"レベルの値ＳHOaが入出力端子１６1から入力された照明制御装置１ｂは、いまだ自己に接続されている人感センサ２ｂが人体非検知状態であることを示す値（この例では、"Ｌ"レベル）の人体検出信号ＳHbを供給しているが、入力動作モード２が設定されているために、調光信号出力部１３を制御して調光率５０％に対応した調光信号ＳCLを出力させる。また、照明制御装置１ｂは、入出力端子１６2については入力動作モード２が設定されているために、照明制御装置１ａから供給された"Ｈ"レベルの値ＳHOaに基づいて、自己に接続されている人感センサ２ｂからの人体検出信号ＳHbの値を、強制的に、人体検知状態であることを示す値（この例では、"Ｈ"レベル）に設定する。
以上説明した一連の動作の結果、エレベータホールブロック５２ａに設けられた照明器具４は調光率７０％に対応した光量で点灯し、エレベータホールブロック５２ｂに設けられた照明器具４は調光率５０％に対応した光量で点灯する。
【００６８】
次に、人がエレベータ５４ａに搭乗してエレベータホール５２から退場することにより、照明制御装置１ａに接続されている人感センサ２ａの検知エリア内から抜けると、人感センサ２ａは、照明制御装置１ａに"Ｌ"レベルの人体検出信号ＳHaを供給する。今の場合、就業時間前であるので、保持時間ＴKは短時間（今の場合、１分）に設定されている。したがって、人がエレベータホール５２から退場してから１分経過すると、照明制御装置１ａ及び１ｂは、保持時間ＴKが経過するので、調光信号出力部１３を制御して調光率５０％に対応した調光信号ＳCLを出力させる。
以上説明した一連の動作の結果、エレベータホールブロック５２ａ及び５２ｂに設けられた照明器具４は調光率５０％に対応した光量で点灯する。以上の動作は、就業時間後についても同様である。
【００６９】
次に、時間が経過して当該企業の就業時間となると、照明制御装置１ａ及び１ｂには、タイマ５１から"Ｈ"レベルの時刻到達信号ＳTが供給されるため、保持時間ＴK（例えば、通常時は５分〜１０分程度）を長時間（今の場合、３０分）に設定される。この就業時間中において、ある人がこのエレベータホール５２に進入して、照明制御装置１ａに接続されている人感センサ２ａの検知エリア内に入った後、エレベータ５４ａに搭乗してエレベータホール５２から退場するまでの動作については、上記した就業時間前の動作と同様である。
【００７０】
次に、人がエレベータホール５２から退場してから３０分経過するまでは、照明制御装置１ａは、調光信号出力部１３を制御して、調光率７０％に対応した調光信号ＳCLaを出力させ、照明制御装置１ｂは、調光信号出力部１３を制御して調光率５０％に対応した調光信号ＳCLを出力させる。このため、エレベータホールブロック５２ａに設けられた照明器具４は調光率７０％に対応した光量で点灯し続け、エレベータホールブロック５２ｂに設けられた照明器具４は調光率５０％に対応した光量で点灯し続ける。
【００７１】
そして、人がエレベータホール５２から退場してから３０分経過すると、照明制御装置１ａ及び１ｂは、調光信号出力部１３を制御して調光率５０％に対応した調光信号ＳCLを出力させる。このため、エレベータホールブロック５２ａ及び５２ｂに設けられた照明器具４は調光率５０％に対応した光量で点灯する。
【００７２】
このように、この例の構成によれば、この例の照明制御装置１を、企業の受付窓口、顧客用玄関、顧客用エレベータホール等、顧客が一時的に到来する箇所に設けるとともに、照明制御装置１ａの入出力端子１６1とタイマ５１とを接続し、照明制御装置１ａ及び１ｂを互いに接続している。さらに、照明制御装置１ａでは、入出力端子１６1については入力動作モード３を、入出力端子１６2については出力動作モード１を、入出力端子１６3については出力動作モード７を設定している。一方、照明制御装置１ｂでは、入出力端子１６1については入力動作モード２を、入出力端子１６2については入力動作モード３を設定している。したがって、人感センサ２を動作させることなく、照明器具４を調光制御することができるとともに、就業時間中は顧客の照明の調光に対する人の感覚（快適性）を向上させることができる一方、就業時間以外では省エネルギー化を図ることができる。
【００７３】
実施の形態４．
図１３は本発明の実施の形態４における照明システムが適用されたあるビルディングのあるフロアの一部である就業エリアの概略平面図、図１４は上記就業エリアの側面図である。この就業エリアは、図１３に示す５ｍ×５ｍの正方形状の天井からなる１２個の就業エリアブロック６１1〜６１12に３行４列のマトリックス状に分割されているが、図では４個の就業エリアブロック６１1〜６１4と、これらに隣接する４個の就業エリアブロック６１5〜６１8の各一部だけを示している。また、このビルディングに西側にあたる各就業エリアブロック６１1、６１5及び６１9には、窓６２1〜６２3が設けられているが、図では窓６２1と、窓６２2の一部だけを示している。
【００７４】
各就業エリアブロック６１1〜６１12における照明制御装置１等の取り付け状態及び構成は、各行、すなわち、就業エリアブロック６１1〜６１4からなる第１行、就業エリアブロック６１5〜６１8からなる第２行、就業エリアブロック６１9〜６１12からなる第３行について、図３に示す各廊下エリアブロック３１ａ〜３１ｄにおける照明制御装置１等の取り付け状態及び構成と同様である。以下では、就業エリアブロック６１1〜６１4についてのみ説明する。各就業エリアブロック６１1〜６１4の各人感センサ２ａ〜２ｄの検知エリア６３ａ〜６３ｄは、図１４に示すように、互いにほとんど重なることなく接している。
【００７５】
また、照明制御装置１ａには、図１４に示すように、入出力信号線６５1を介してタイマ６４が接続されている。タイマ６４は、窓６２1から西日による直射日光が射し込む時間（例えば、午後３時頃〜午後５時頃）だけに"Ｈ"レベルの時刻到達信号ＳTを入出力信号線６５1を介して照明制御装置１ａに供給する。図１４において、直射日光６６ａは午後０時頃のもの、直射日光６６ｂは午後３時頃のもの、直射日光６６ｃは午後５時頃のものである。
【００７６】
また、各照明制御装置１ａ〜１ｄは、図１４に示すように、入出力信号線６５2〜６５4を介して互いに接続されている。すなわち、照明制御装置１ａの入出力端子１６2と照明制御装置１ｂの入出力端子１６1とが入出力信号線６５2を介して接続され、照明制御装置１ｂの入出力端子１６2と照明制御装置１ｃの入出力端子１６1とが入出力信号線６５3を介して接続され、照明制御装置１ｃの入出力端子１６2と照明制御装置１ｄの入出力端子１６1とが入出力信号線６５4を介して接続されている。
【００７７】
次に、上記構成の照明システムの動作について説明する。照明制御装置１ａでは、入出力端子１６1については入力動作モード４が、入出力端子１６2については出力動作モード７が設定されている。すなわち、照明制御装置１ａは、タイマ６４から入出力信号線６５1及び入出力端子１６1を介して供給される時刻到達信号ＳTが"Ｈ"レベルの場合には、強制的に、照度センサ３ａからの検出値ＤL（０〜５Ｖ）を無効に設定する。また、入出力端子１６2については出力動作モード７が設定されているため、照明制御装置１ａは、入出力端子１６1から供給された時刻到達信号ＳTをそのまま又は増幅や波形整形等の信号を施した後に入出力端子１６2から入出力信号線６５2を介して照明制御装置１ｂに供給する。
【００７８】
一方、他の照明制御装置１ｂ〜１ｄでは、入出力端子１６1については入力動作モード４が、入出力端子１６2については出力動作モード７が設定されている。すなわち、隣接する照明制御装置１から入出力信号線６５2〜６５4を介して供給された時刻到達信号ＳTが"Ｈ"レベルの場合には、各照明制御装置１ｂ〜１ｄは、強制的に、照度センサ３ｂ〜３ｄからの検出値ＤL（０〜５Ｖ）を無効に設定する。また、入出力端子１６2については出力動作モード７が設定されているため、各照明制御装置１ｂ〜１ｄは、入出力端子１６1から供給された時刻到達信号ＳTをそのまま又は増幅や波形整形等の信号を施した後に入出力端子１６2から入出力信号線６５3及び６５4を介して隣接する照明制御装置１に供給する。
【００７９】
さらに、各照明制御装置１ａ〜１ｄでは、調光信号出力部１３を制御して、自己に接続されている人感センサ２からの人体検出信号ＳHの値が、人体検知状態であることを示す値（例えば、"Ｈ"レベル）である場合には、調光率７０％を示す調光信号ＳCLを出力させるとともに、人体非検知状態であることを示す値（例えば、"Ｌ"レベル）である場合には、調光率０％を示す調光信号ＳCLを出力させる。また、各照明制御装置１ａ〜１ｄでは、上記保持時間ＴKの経過後は、調光信号出力部１３を制御して、調光率５０％を示す調光信号ＳCLを出力させる。
【００８０】
まず、当該企業の就業時間（午前９時）前の初期状態では、各照明制御装置１ａ〜１ｄに接続されている人感センサ２ａ〜２ｄが人を検知しておらず、かつ、タイマ６４から"Ｈ"レベルの時刻到達信号ＳTが供給されていないため、各照明制御装置１ａ〜１ｄは、調光信号出力部１３を制御して、調光率０％を示す調光信号ＳCLを出力させる。したがって、図１３及び図１４に一部を示す合計４８個の照明器具４はすべて消灯している。このような状態において、就業時間（午前９時）直前となり、人々が就業エリアのいずれかの就業エリアブロックに進入して、照明制御装置１ａ〜１ｄに接続されている人感センサ２ａ〜２ｄの検知エリア内に入ったとする。
【００８１】
これにより、各人感センサ２ａ〜２ｄは、対応する照明制御装置１ａ〜１ｄに対し、人体検知状態であることを示す値（この例では、"Ｈ"レベル）の人体検出信号ＳHを供給するので、各照明制御装置１ａ〜１ｄは、調光信号出力部１３を制御して、調光率７０％に対応した調光信号ＳCLを出力させる。以上説明した一連の動作の結果、人が就業中の就業エリアブロックに設けられた照明器具４は調光率７０％に対応した光量で点灯する。また、各照明制御装置１ａ〜１ｄには、タイマ６４から"Ｌ"レベルの時刻到達信号ＳTが供給されるため、対応する照度センサ３ａ〜３ｄからの検出値ＤLが有効に設定されている。したがって、各照明制御装置１ａ〜１ｄは、調光信号出力部１３を制御して、照度センサ３ａ〜３ｄからの検出値ＤLに基づいた調光率に対応した調光信号ＳCLを出力させる。以上説明した一連の動作の結果、人が就業中の就業エリアブロックに設けられた照明器具４は照度センサ３ａ〜３ｄからの検出値ＤLに基づいた調光率に対応した光量で点灯する。
【００８２】
次に、時間が経過して、窓６２1から西日による直射日光が射し込む時間（例えば、午後３時頃〜午後５時頃）なると、照明制御装置１ａ〜１ｄは、タイマ６４から"Ｈ"レベルの時刻到達信号ＳTが供給されるため、照度センサ３ａからの検出値ＤL（０〜５Ｖ）が無効に設定される。これにより、各照明制御装置１ａ〜１ｄは、調光信号出力部１３を制御して、現在の調光率に対応した調光信号ＳCLをそのまま出力させ続ける。
【００８３】
このように、この例の構成によれば、この例の照明制御装置１を西日等の直射日光が射し込む窓際に設置するとともに、照明制御装置１ａの入出力端子１６1とタイマ６４とを接続し、照明制御装置１ａ〜１ｄを互いに接続している。さらに、各照明制御装置１ｂ〜１ｄでは、入出力端子１６1については入力動作モード４を、入出力端子１６2については出力動作モード７を設定している。したがって、午後３時を過ぎた頃、床面に直射日光６６ｂが当たった場合であっても、調光率が固定されるため、床面が明るく西日が当たっていない窓際の机上面が極端に照明が暗くなることはない。したがって、従来のように、窓際に取り付けられたブラインドを閉める必要がないため利用者の手間が省ける。
【００８４】
実施の形態５．
上述した実施の形態１〜４では、蛍光ランプの調光率ＲCLを照明制御装置１から調光信号線を介して供給されるＰＷＭの調光信号ＳCLに基づいて制御する例を示したが、本発明はこれに限定するものではない。照明器具として、例えば、白熱灯を併用して、会議室等に設置しても良い。この場合、照明制御装置１の入出力端子１６1を出力動作モード３に設定し、調光信号出力部１３から出力されるＰＷＭの調光信号ＳCLについて、予め第１のしきい値ＳTH1として、例えば、調光率５０％を示す調光信号ＳCLを設定する。そして、現在の調光信号ＳCLが第１のしきい値ＳTH1より高い場合には第１の値（例えば、"Ｈ"レベル）を、現在の調光信号ＳCLが第１のしきい値ＳTH1より低い場合には第２の値（例えば、"Ｌ"レベル）を外部に出力すれば良い。そして、この出力信号を白熱灯に接続されたリレー増幅器に供給して白熱灯を点滅させれば良い。このように構成すれば、白熱灯をＰＷＭ調光方式の蛍光ランプと同様に照明制御装置１で制御することができ、汎用性が向上する。
【００８５】
実施の形態６．
上述した実施の形態１〜４では、蛍光ランプの調光率ＲCLを照明制御装置１から調光信号線を介して供給されるＰＷＭの調光信号ＳCLに基づいて制御する例を示したが、本発明はこれに限定するものではない。照明器具として、例えば、白熱灯を併用して、会議室等に設置しても良い。この場合、照明制御装置１の入出力端子１６1を出力動作モード４に設定し、照度センサ３から供給される検出値ＤL（０〜５Ｖ）について、予め第２のしきい値ＳTH2として、例えば、３Ｖを設定する。そして、現在の検出値ＤLが第２のしきい値ＳTH2より高い場合には第１の値（例えば、"Ｈ"レベル）を、現在の検出値ＤLが第２のしきい値ＳTH2より低い場合には第２の値（例えば、"Ｌ"レベル）を外部に出力すれば良い。そして、この出力信号を白熱灯に接続されたリレー増幅器に供給して白熱灯を点滅させれば良い。このように構成すれば、白熱灯を照明制御装置１に接続された照度センサ３の検出値ＤLに基づいて制御することができ、汎用性が向上する。
【００８６】
実施の形態７．
上述した実施の形態１〜４では、蛍光ランプの調光率ＲCLを照明制御装置１から調光信号線を介して供給されるＰＷＭの調光信号ＳCLに基づいて制御する例を示したが、本発明はこれに限定するものではない。照明器具として、例えば、白熱灯やハロゲン照明器具、あるいは、位相制御調光方式の蛍光ランプを併用して、会議室等に設置しても良い。この場合、照明制御装置１の入出力端子１６1を出力動作モード５に設定し、調光信号出力部１３から出力されるＰＷＭの調光信号ＳCL（０％〜１００％）を、例えば、図１５に示すように、アナログの電圧値（例えば、０〜１０Ｖ）に変換して、その電圧値を外部に出力すれば良い。そして、この出力信号を白熱灯等に接続された位相制御端末器に供給して白熱灯等の調光制御を行わせれば良い。このように構成すれば、白熱灯等をＰＷＭ調光方式の蛍光ランプと同様に照明制御装置１で調光制御することができ、汎用性が向上する。また、上記アナログの電圧値（例えば、０〜１０Ｖ）を他の設備のアナログ変換器に供給することにより、当該他の設備側で監視画面に調光率を表示することができる。
【００８７】
実施の形態８．
上述した各実施の形態では、照度センサ３の検出値ＤL（０〜５Ｖ）を出力しない例を示したが、本発明はこれに限定するものではない。例えば、照明制御装置１の入出力端子１６1を出力動作モード６に設定し、照度センサ３の検出値ＤL（０〜５Ｖ）を、例えば、図１６に示すように、アナログの電圧値（例えば、０〜１０Ｖ）に変換して、その電圧値を外部に出力しても良い。そして、上記アナログの電圧値（例えば、０〜１０Ｖ）を他の設備のアナログ変換器に供給することにより、当該他の設備側で監視画面に明るさの変化を表示することができる。
【００８８】
実施の形態９．
上述した各実施の形態では、照明制御装置１を構成する複数の入出力端子１６の動作モードは、一度設定されると固定される例を示したが、本発明はこれに限定するものではない。例えば、制御部１２にスケジュール管理機能を付加しても良い。すなわち、ある照明制御装置１において、スケジュールに応じて、各入出力端子１６ごとに動作モードを切り替えても良い。例えば、入出力端子１６1について、２４時間を、就業開始時刻から昼休み開始時刻まで（例えば、入力動作モード４）、昼休み時間（例えば、入力動作モード３としてタイマからの信号に基づく調光率５０％とする制御）、昼休み終了時刻から終業時刻まで（例えば、入力動作モード４）、終業時刻から翌日の就業開始時刻まで（例えば、入力動作モード１）、と分割し、各時間帯で動作モード等の切り替えを行う。また、１週間を、出勤日（例えば、月曜日から金曜日）と休日（例えば、土曜日及び日曜日）とに分割し、各時間帯で動作モード等の切り替えを行う。このように構成すれば、よりきめ細やかな照明制御を行うことができ、省エネルギーの効果も上げることができる。
【００８９】
実施の形態１０．
上述した各実施の形態では、各入出力端子１６ごとに動作モードや調光率ＲCLを照明リモコン５の操作者が１つ１つ設定する例を示したが、本発明はこれに限定するものではない。例えば、各入出力端子１６ごと及び各動作モードごとに、統計や顧客の要望に応じた推奨値を予め記憶部１５のプリセット領域に記憶しておき、操作者が推奨値からの変更を希望する調光率ＲCL等のみを設定変更するように構成しても良い。
【００９０】
この場合、単に、出力動作モード１〜７、入力動作モード１〜４とするのではなく、廊下エリアやトイレ等、各エリア又はエリアブロックごとに適した動作モードをプリセットしておいても良い。そして、照明装置の設置後の照明リモコン５を用いた初期設定を行う際に、例えば、「設置エリアの選択」項目として、「廊下エリア」、「トイレエリア」等を設け、「廊下エリア」を選択すれば入出力端子１６1については出力動作モード１が、入出力端子１６2については入力動作モード２が自動的に設定され、「トイレエリア」を選択すれば入出力端子１６1については出力動作モード２が自動的に設定されるように構成する。また、各エリアごとの動作モードについても、１種類ではなく、省エネルギー化を重視するモード、照明の調光に対する人の快適性を重視するモード、省エネルギー化と照明の調光に対する人の快適性の両立を図るモードなど何種類かをプリセットしても良い。このように構成すれば、よりきめ細やかな照明制御を行うことができるとともに、操作性も向上する。
【００９１】
以上、この実施の形態を図面を参照して詳述してきたが、具体的な構成はこの実施の形態に限られるものではなく、本発明の要旨を逸脱しない範囲の設計の変更等があっても本発明に含まれる。
例えば、上述した各実施の形態では、動作モードや調光率ＲCLは、ワイヤレスの照明リモコン５により設定する例を示したが、これに限定されず、照明制御装置１と信号線を介して接続された設定器により設定しても良い。また、各照明制御装置１の間においても、多重有線通信や無線通信で各信号やデータを交換するように構成しても良い。
【００９２】
また、上述した実施の形態３及び４では、タイマ５１及び６４を外付けする例を示したが、これに限定されず、タイマは照明制御装置１の内部に設けても良い。
また、上述した実施の形態２以外の実施の形態では、調光率を変化させる際にフェード時間を設定しない例を示したが、これに限定されず、フェード時間を設定しても良い。これにより、一層照明の調光に対する人の快適性も向上させることができる。
また、外部信号としては、タイマからの時刻到達信号の他、火災感知器からの火災感知信号、施錠信号、窓に設置された防犯スイッチが当該窓が開いていることを検知して出力する窓開放検知信号、給湯エリアのガスレンジ近傍に設置されたガス漏れ検知器がガスレンジにおけるガス漏れを検知して出力するガス漏れ検知信号等であっても良い。なお、タイマからの信号は、所定時間の経過を示す時間経過信号でも良い。
また、上述の各実施の形態では、照明制御装置１は、出力動作モード１〜７及び入力動作モード１〜４のすべてを有する例を示したが、これに限定されず、いずれか１つを有する場合でも良く、また出力動作モードでは８つ以上、入力動作モードでは５つ以上有しても良い。さらに、動作モードの内容も上記出力動作モード１〜７及び入力動作モード１〜４に限定されることはない。
また、上述の各実施の形態は、その目的及び構成等に特に矛盾や問題がない限り、互いの技術を流用することができる。
【図面の簡単な説明】
【００９３】
【図１】本発明の実施の形態１を示す照明装置のブロック図である。
【図２】外部入出力部の一部の構成を示す回路図である。
【図３】照明システムが適用されたあるビルディングのある廊下の天井の概略平面図である。
【図４】上記廊下の側面図である。
【図５】上記照明システムの動作を説明するためのタイミング・チャートである。
【図６】本発明の実施の形態２を示す照明装置が適用されたトイレの天井の概略平面図である。
【図７】上記トイレの床の概略平面図である。
【図８】上記トイレの側面図である。
【図９】上記照明装置の動作を説明するためのタイミング・チャートである。
【図１０】本発明の実施の形態３を示す照明システムのブロック図である。
【図１１】上記照明システムが適用されたエレベータホール及びエレベータエリアの天井の概略平面図である。
【図１２】上記エレベータホールの床及びエレベータの概略平面図である。
【図１３】本発明の実施の形態４を示す照明システムが適用されたあるビルディングのあるフロアの一部である就業エリアの概略平面図である。
【図１４】上記就業エリアの側面図である。
【図１５】本発明の実施の形態７を示す照明装置で用いられる調光信号ＳCLのアナログの電圧値への変換特性の一例を示す図である。
【図１６】本発明の実施の形態８を示す照明装置で用いられる照度センサの検出値ＤLのアナログの電圧値への変換特性の一例を示す図である。
【符号の説明】
【００９４】
１，１ａ〜１ｄ  照明制御装置、２，２ａ〜２ｄ  人感センサ、３，３ａ〜３ｄ  照度センサ、４，４1〜４n  照明器具、５，５ａ，５ｂ  照明リモコン、６，６ａ，６ｂ  調光信号線、１１  外部入出力部、１２  制御部、１３  調光信号出力部、１４  送受信部、１５  記憶部、１６，１６1〜１６3  入出力端子、２１〜２３  電流制限抵抗、２４  入力バッファ、２５  出力バッファ、３１ａ〜３１ｄ  廊下エリアブロック、３２ａ〜３２ｄ，４６，６３ａ〜６３ｄ  検知エリア、３３1〜３３3，５２1〜５２3，６５1〜６５4、入出力信号線、３４，４２，５５  蛍光ランプ、４１  換気扇、４３  洋式便器、４４1，４４2  側板、４５  ドア、５１，６４  タイマ、５２  エレベータホール、５２ａ，５２ｂ  エレベータホールブロック、５３  エレベータエリア、５４ａ，５４ｂ  エレベータ、６１1〜６１12  就業エリアブロック、６２1〜６２3  窓、６６ａ〜６６ｃ  直射日光。
【図１】
0004776181.tif 000002
【図２】
0004776181.tif 000003
【図３】
0004776181.tif 000004
【図４】
0004776181.tif 000005
【図５】
0004776181.tif 000006
【図６】
0004776181.tif 000007
【図７】
0004776181.tif 000008
【図８】
0004776181.tif 000009
【図９】
0004776181.tif 000010
【図１０】
0004776181.tif 000011
【図１１】
0004776181.tif 000012
【図１２】
0004776181.tif 000013
【図１３】
0004776181.tif 000014
【図１４】
0004776181.tif 000015
【図１５】
0004776181.tif 000016
【図１６】
0004776181.tif 000017